(57)【要約】【課題】本発明は、通気性を確保すると共に外観の体裁が良く、かつ、デザインの自由度が高いルーバー付き帽子を製作するための帽子用芯材であって、ルーバー付き帽子を容易に製作することのできる帽子用芯材を提供することを目的とするものである。【解決手段】本発明の帽子用芯材は、つばと帽体前面を一体に形成し、前記つばの表面に沿って帽体内に導入するためのルーバーを前記帽体前面に設けたので、通気性を向上させたルーバー付き帽子の製作が容易になる。また、帽体前面の内側にサイズ調整ベルトを設けた帽子用芯材を用いれば、外観にスライドアジャスタ等のサイズ調整機構が一切現れない帽子を製作することが可能となる。【選択図】図１
2015094040.tif 000002
【特許請求の範囲】
【請求項１】
つばと帽体前面が一体に形成された帽子用芯材であって、前記つばの表面に沿って帽体内に空気を導入するためのルーバーを前記帽体前面に設けた帽子用芯材。
【請求項２】
前記つばと帽体前面およびルーバーが合成樹脂により一体に成型された請求項１記載の帽子用芯材。
【請求項３】
前記帽体前面の内側にサイズ調整ベルトを設けた請求項１または２記載の帽子用芯材。
【請求項４】
前記サイズ調整べルトおよび前記帽体前面が合成樹脂により一体に成型された請求項３記載の帽子用芯材。
【請求項５】
請求項１〜４のいずれかに記載された帽子用芯材に帽体生地を固定して製作された帽子。
【請求項６】
前記帽体生地の内側にカチューシャ型の装着具を設けた請求項５記載の帽子。
【発明の詳細な説明】
【技術分野】
【０００１】
この発明は、通気性を確保すると共に外観の体裁が良く、かつ、デザインの自由度が高いルーバー付き帽子用の芯材であって、生産効率が著しく向上した帽子用芯材に関するものである。
【背景技術】
【０００２】
本発明者は、特開２０１３−０１９０８８号公報（特許文献１）において、通気性および遮光性を有すると共に、外観上のデザインが極めて優れた帽子として、帽体の前部および後部に開口が設けられ、該開口にルーバー枠と羽板とからなるルーバー機構が固定されたことを特徴とする帽子を提案している。本発明の帽子は通気性および遮光性を有するため、被着者は十分な清涼感を感じることができるが、帽体に開口を設け該開口にルーバー機構を固定しなければならないため、帽子製作が煩雑で量産に適していない。
【０００３】
特許文献２には、通気性及び汗取り効果にすぐれた帽子であって、クラウンの前面に通気部を形成してなる帽子において、クラウンの下端内周の前半部に、中央部分を袋状部となし、必要に応じて吸汗その他の温調具を収納できるようにした長さ調節ベルトを伸縮調節を自在とするように取り付けてなる帽子が開示されている。
【０００４】
前記帽子は、長さ調節用のベルトを前額部に緊密に締めつけるとベルトの前面とクラウンの内周面との間に空隙が表れ、クラウンの通気部から流入した空気はこの空隙部から下方に流動するので前額部は移動する空気によって冷却されて頭部のムレや発汗を防止することも期待できる。しかしながら、ベルトの袋状部を除く一端をクラウンの内周側端に縫着するとともに他端をクラウンの他方の周側から外方へ突出させてアジャスタに接続するのでアジャスタが帽子の外観に現れる。また、ベルトの帽子への取付けが煩雑であった。
【先行技術文献】
【特許文献】
【０００５】
【特許文献１】特開２０１３−０１９０８８号公報
【特許文献２】実願昭５５−１００３１９号（実開昭５７−２７４２７号）のマイクロフィルム
【発明の概要】
【発明が解決しようとする課題】
【０００６】
本発明は、通気性を確保すると共に外観の体裁が良く、かつ、デザインの自由度が高いルーバー付き帽子を製作するための帽子用芯材であって、ルーバー付き帽子を容易に製作することのできる帽子用芯材を提供することを目的とするものである。
【課題を解決するための手段】
【０００７】
本発明の帽子用芯材は、つばと帽体前面が一体に形成された帽子用芯材であって、前記つばの表面に沿って帽体内に空気を導入するためのルーバーを前記帽体前面に設けたことを特徴とする。
【０００８】
前記つばと帽体前面およびルーバーが合成樹脂により一体に成型されたことが好ましい。
【０００９】
前記帽体前面の内側にサイズ調整ベルトを設けたことが好ましい。
前記サイズ調整べルトおよび前記帽体前面が合成樹脂により一体に成型されたことが好ましい。
【００１０】
本発明の帽子は前記帽子用芯材に帽体生地を固定して製作されたことを特徴とする。
前記帽体生地の内側にカチューシャ型の装着具を設けたことが好ましい。
【発明の効果】
【００１１】
本発明の帽子用芯材は、つばと帽体前面を一体に形成し、前記つばの表面に沿って帽体内に導入するためのルーバーを前記帽体前面に設けたので、通気性を向上させたルーバー付き帽子の製作が容易になる。また、帽体前面の内側にサイズ調整ベルトを設けた帽子用芯材を用いれば、外観にスライドアジャスタ等のサイズ調整機構が一切現れない帽子を製作することが可能となる。
【図面の簡単な説明】
【００１２】
【図１】本発明の帽子用芯材の斜視図（図１（１））および本発明の帽子用芯材を用いて製作した帽子の斜視図（図１（２））である。
【図２】図１（２）に示す帽子の縦断側面図である。
【図３】本発明の帽子用芯材の他の実施形態を示す斜視図である。
【図４】帽体前面の内側にサイズ調整ベルトを設けた帽子用芯材の底面図である。
【図５】帽体前面の内側に設けられるスライド式アジャスタの縦断側面図（図５（１）、（２））である。
【図６】帽体生地の内側に設けたカチューシャ型の装着具を透視して描いた帽子の側面図である。
【発明を実施するための形態】
【００１３】
以下、本発明に係る帽子の実施形態を図面に基づいて説明する。
図１（１）は、本発明に係る帽子用芯材８の斜視図であり、帽子用芯材８を構成するつば１１、帽体前面１２、およびルーバー１３が示されている。
【００１４】
前記つば１１と帽体前面１２は一体に形成され、前記帽体前面１２にルーバー１３が設けられているので、当該帽子用芯材８に帽体２を固定するだけで、容易にルーバー付き帽子を製作することができる。図１（２）は帽子用芯材８に帽体２を固定して製作した帽子の斜視図である。帽体２の固定方法に格別の制限はなく、縫着のほか溶着や面ファスナーによる接着等、固定が容易かつ強度を保持できる方法であれば良い。
【００１５】
つば１１の形状および大きさに格別の制限はなく、遮光性を確保することができるものであれば良く、デザイン性を加味して適宜決定される。本実施形態において、つば１１の形状を湾曲状としたが平面状とすることもできる。
【００１６】
帽体前面１２に設けられるルーバー１３の形状および大きさに格別の制限はなく、つば１１の表面に沿って空気を帽体２の内側に導入させることのできるものであれば良い。ルーバー１３が大きいほど帽体２の内側に流入する外気量を増やすことができるが、帽子全体の外観を考慮して適宜その形状、大きさを決定する。
また、帽体前面１２の形状および大きさについても格別の制限はなく、ルーバー１３を設けることのできる形状および大きさであれば良い。
【００１７】
帽子用芯材８の材質に格別の制限はなく、つば１１と帽体前面１２が一体に形成されていれば良い。ルーバー１３の形状をある程度保持することができるものであれば、既存の帽子のつば芯に用いられる紙の積層体や樹脂シートなどの比較的硬質な素材の他、発泡ポリエチレンなどの柔軟な素材を用いることも可能である。また、つば１１、帽体前面１２およびルーバー１３を必ずしも同材料で形成する必要はない。
【００１８】
ルーバー１３は帽体前面１２に後付設置しても良いが、つば１１と帽体前面１２およびルーバー１３を合成樹脂により一体に成型すれば、ルーバー１３を後付設置する手間を省くことが可能となり、量産性が高くなる。この場合、つば１１と帽体前面１２には柔軟な素材を用い、ルーバー１３には硬質な素材を用いる等して２色成型により製作することも可能である。
【００１９】
次に、図１（２）に示す帽子の作用について図２を参照して説明する。図２は図１（２）に示す帽子の縦断側面図である。
帽体前面にルーバー１３が設けられるので、つば１１の表面に沿ってルーバー１３から外気が導入されると共に、ルーバー１３が帽体内部に差し込む日差しを遮る。本発明の帽子によればルーバー１３から流入する大量の外気は、帽子の被着者の頭部に直接接触することに加えて、ルーバー１３により日差しが遮られるので、冷却効果が体感上極めて優れている。
【００２０】
続いて、本発明の帽子用芯材の他の実施形態について図３を参照して説明する。本実施形態では、帽子用芯材の帽体前面１２が帽子全体の半分程度の範囲を占めている。従って、帽体前面１２の材質に硬質の材料を用いれば、保護帽としての役割を果たすことが可能となる。
【００２１】
次に、本発明の他の実施形態について図４を参照して説明する。
図４は帽子用芯材８の底面図である。本実施形態では、帽体前面１２の内側にサイズ調整ベルト１４が設けられる。サイズ調整ベルト１４は帽体前面１２と一体に成型しても良いし、帽体前面１２に取付部を設けてサイズ調整ベルト１４を帽体前面１２の内側に取付け可能としても良い。サイズ調整ベルト１４を帽体前面１２と一体に成型すればサイズ調整ベルト１４の取付工程を省略することができるので、帽子製作の効率が上がる。一方、サイズ調整ベルト１４を帽体前面１２から取り外し可能とすれば、ベルトが破損したり汚れたりした場合やサイズ調整機構を変更したい場合にサイズ調整ベルト１４を容易に交換することができる。サイズ調整ベルト１２は帽体前面の内側に設けたので、サイズ調整機構は帽子の外観に一切現れない。    
【００２２】
本実施形態における帽子用芯材８を用いて帽子を製作した場合、帽子を被着した状態では、額にサイズ調整ベルト１４が接触するが帽体前面１２は接触しないで、額と帽体前面１２の間に隙間５が形成される。したがって、外気が前記ルーバー１３から帽子内部に入ると額に外気が直接接触するほか、帽子内部に貯留する蒸れた空気がこの外気流に同伴されて前記隙間５から帽子外部に排気される。また、サイズ調整ベルト１４が額に接触することから、帽子の被り心地、特にフィット感が良くなる。サイズ調整ベルト１４は帽子のつば１１側に設けられるため、隙間５がつば１１に隠れて外観の体裁が良い。
【００２３】
次に、本実施形態におけるサイズ調整ベルト１４のサイズ調整機構について説明する。サイズ調整機構はアメリカンホック式アジャスタであって、サイズ調整ベルト１４の一端部２０Ａには雄型ホック２１Ａ、他端部２０Ｂには雌型ホック２１Ｂが形成されている。各ホックの数と間隔に格別の制限はないが、通常７つ前後のホックが３ｍｍ〜１０ｍｍ間隔で設けられる。
サイズを調整するには、雄型ホック２１Ａを雌型ホック２１Ｂに嵌める位置をずらすことで、帽子の内周を被着者の好みのサイズにフィットさせることができる。
【００２４】
サイズ調整機構には図５に示すようなスライド式アジャスタを用いることもできる。
サイズ調整ベルト１４の一端部２０Ａには、他端部２０Ｂを挿入可能な一部をループ状としたスライドガイド２２が設けられており、スライドガイド２２の止輪２３の内側には、爪状の係合凸部２４Ａが形成されている。
【００２５】
一方、他端部２０Ｂの外表面には、断面が鋸歯状の係合凹部２４Ｂが形成されている。この実施形態の係合形式は両端部２０Ａ、２０Ｂをスライドさせて両係合部２４Ａ、２４Ｂを係合させ、バンドを着用者の最適な長さに調整して接続するものであり、爪状の係合凸部２４Ａが断面鋸歯状の係合凹部２４Ｂに係止した状態では、他端部２０Ｂは一端部２０Ａに対して進出自在であるが、後退不能となっている。
【００２６】
本実施形態のサイズ調整ベルト１４は以上のように構成されているので、サイズ調整ベルト１４の両端部を引き寄せれば、両係合部２４Ａ、２４Ｂが擦り合いながら、スライドガイド２２内を他端部２０Ｂが進出してゆき、サイズ調整ベルト１４の周囲長を短く調節することができる。この状態では、他端部２０Ｂを一端部２０Ａから分離する方向に引いても、両係合部２４Ａ、２４Ｂが噛み合っているので動くことはない。
【００２７】
他方、両係合部２４Ａ、２４Ｂの係合を解除して、他端部２０Ｂを一端部２０Ａから引き抜くには、スライドガイド２２の側部（特に、止輪２３の位置）を指にて外側から圧縮して、止輪２３を外側（図５（１）において上側）に撓ませればよい。このとき、図５（２）に示すように、両係合部２４Ａ、２４Ｂの噛み合いが解除される結果、他端部２０Ｂは一端部２０Ａに対して後退し、バンドは自然に緩まる。
【００２８】
サイズ調整ベルトは塩化ビニル、ポリエチレン、その他の可撓性の合成樹脂や、硬質ゴムにて製造されることが好ましい。その際、バンドは被着される頭部に沿った曲面に予め成形しておくことが好ましい。
【００２９】
なお、本発明に係るサイズ調整ベルト１４には、ベルトの両端部における係合形式に格別の制約がない。従って、上記実施形態以外にも、面ファスナー等を適用することもできる。
【００３０】
以上説明してきた帽子用芯材８は、帽体２を固定することによって、容易にルーバー付き帽子を製作することができる。帽子用芯材８を帽体２と共生地で包む等すれば、通常の帽子と比較したときの違和感がないルーバー付き帽子を製作することが可能となる。
【００３１】
帽体生地の内側の適宜位置にカチューシャ型の装着具３０を設けることにより、ルーバー１３から導入される外気の通気路を容易に確保することができる（図６参照）。つまり、装着具３０により被着者の頭部をホールドすることで、前記サイズ調整ベルト１４を帽体前面１２の内側に設けなくても帽体前面１２と頭部との間に隙間を設けることができる。また、カチューシャ型の装着具３０を弾性のある合成樹脂で製作すれば、頭部の形や大きさに影響されることなくルーバー付き帽子を頭部にフィットさせることが可能となる。
図６に示す実施形態では、装着具３０を被着者の後頭部をホールドすることができるように帽子の頭周りと略平行に設けたが、装着具３０の設置位置に格別の制限はなく、ルーバー１３から導入される外気の通気路を確保することのできるものであれば良い。  
【符号の説明】
【００３２】
２      帽体
５      隙間
１１    つば
１２    帽体前面
１３    ルーバー
１４    サイズ調整ベルト
２０Ａ  サイズ調整ベルトの一端部
２０Ｂ  サイズ調整ベルトの他端部
３０    装着具
【図１】
2015094040.tif 000003
【図２】
2015094040.tif 000004
【図３】
2015094040.tif 000005
【図４】
2015094040.tif 000006
【図５】
2015094040.tif 000007
【図６】
2015094040.tif 000008